(57)【要約】      （修正有）【課題】プラスチック製ストローバッグのように実用強度を備え、且つ安価な市販の編み籠に対して、後発的に意匠性を付加することにより、実用性を備え、且つ意匠性に富んだ装飾籠を提供する。【解決手段】編み籠の交差部分の表面に配された横方向の線状材１７、１９と、裏面に配された縦方向の線状材１６との間隙を支点とし、所定の支点１５にリボン１１を通し、当該支点から上下左右或いは斜め方向に所定間隔離れた他の支点１８に同一のリボンを通す。このことで、編み籠の表面において各支点の間にリボンを配する。この操作を規則的に繰り返すことにより、編み籠の表面の全部又は一部に意匠性に富んだ装飾が施される。【選択図】図３
0003202769.tif 000002
【実用新案登録請求の範囲】
【請求項１】
線状材を縦方向と横方向に交差するように編み上げてなる編み籠において、
交差部分の表面に配された横方向の線状材と、裏面に配された縦方向の線状材との間隙を支点として、
所定の支点にリボンを通し、当該支点から上下左右或いは斜め方向に所定間隔離れた他の支点に同一のリボンを通し、前記編み籠の表面において前記各支点の間に当該リボンを配するようにして、
この操作を規則的に繰り返すことにより、前記編み籠の表面の全部又は一部に意匠性に富んだ装飾が施されてなる装飾籠。
【請求項２】
前記表面に配された横方向の複数の線状材からなる縦列に対して、
前記リボンが、所定の支点より上方又は下方に１又は２以上の支点を越えて、他の支点に向けて縦列に配され、この操作を同一の縦列で規則的に繰り返すと共に、
全ての縦列、又は、１列又は２列以上の間隔を置いた他の縦列において同様の操作を規則的に繰り返すことを特徴とする請求項１に記載の装飾籠。
【請求項３】
前記編み籠の表面において、前記縦列に配されたリボンが、支点から他の支点に配されるときにタックを形成することを特徴とする請求項２に記載の装飾籠。
【請求項４】
前記編み籠の表面において、前記縦列及び他の縦列に配された２列以上のリボンに対して、
１又は２以上の他のリボンを横方向に交差するように配することを特徴とする請求項２又は３に記載の装飾籠。
【請求項５】
前記編み籠の表面において、前記縦列に配されたリボンが、支点から他の支点に配されるときに１回転のスクロールループを形成することを特徴とする請求項２に記載の装飾籠。
【請求項６】
前記編み籠の表面において、リボンが縦方向に配された縦列を第１の縦列とし、
リボンが配されていない両隣の縦列を第２及び第３の縦列としたときに、
第２の縦列の所定の支点に他のリボンを通し、当該支点から斜め上又は斜め下方向に所定間隔離れた第３の縦列の支点に同一のリボンを通し、当該他のリボンが前記第１の縦列に配されたリボンの表面に配されるようにして、  
この操作を第２及び第３の縦列の間で規則的に繰り返すことを特徴とする請求項２に記載の装飾籠。
【請求項７】
前記表面に配された横方向の複数の線状材からなる複数の縦列に対して、
所定の縦列の所定の支点にリボンを通し、当該支点から斜め上又は斜め下方向に所定間隔離れた隣接する縦列の支点に同一のリボンを通し、更に、同一方向に同一間隔離れた更に隣接する他の縦列に同一のリボンを通し、前記編み籠の表面において前記各支点の間に当該リボンを斜め方向に配するようにして、
この操作を規則的に繰り返すことを特徴とする請求項１に記載の装飾籠。
【請求項８】
前記編み籠の表面において、隣接する複数の縦列の間に斜め方向に配されたリボンが、支点から他の支点に配されるときに１回転のスクロールループを形成することを特徴とする請求項７に記載の装飾籠。
【請求項９】
前記表面に配された横方向の複数の線状材からなる複数の縦列に対して、
所定の縦列の所定の支点に上から下に向かってリボンを通し、当該支点からリボンを反転させながら右斜め上又は左斜め上の一定方向に向けて所定間隔離れた隣接する縦列の支点に同一のリボンを下から上に通し、更に当該リボンを反転させながら、右斜め下又は左斜め下の一定方向に同一間隔離れた更に隣接する他の縦列に同一のリボンを上から下に向かって通し、前記編み籠の表面において前記各支点の間に当該リボンを横列にジグザグ状に配するようにして、
この操作を規則的に複数の横列に対して繰り返すことを特徴とする請求項１に記載の装飾籠。
【考案の詳細な説明】
【技術分野】
【０００１】
本考案は、天然或いはプラスチックなどの線状材からなる編み籠やバッグの表面にリボンを用いて装飾を施した装飾籠に関するものである。
【背景技術】
【０００２】
従来から籐や竹ひごなどの天然材料からなる線状材で編み上げた籠やバッグが広く使用されている。これらの籐籠や竹籠などは、その物自体で趣があり且つ便利なものである。しかし、編み上げた状態では、意匠性に欠けファッション用途に使用し辛いという問題があった。
【０００３】
また、最近ではナイロンやポリオレフィンなどのプラスチック製の線状材を編み上げたストローバッグなどが広く使用されている。これらのプラスチック製ストローバッグなどは、実用的且つ安価であって、また、鮮やかな色彩のものもありファッション性にも富んだものもある。
【０００４】
しかし、これらの籐籠、竹籠、ストローバッグなどは、編み上げた編み目が表面に現われたままであって、実用的には優れているが立体的な意匠性や華やかな意匠性に欠けるという問題があった。
【考案の概要】
【考案が解決しようとする課題】
【０００５】
そこで、本考案は、以上のようなことに対処して、プラスチック製ストローバッグのように実用強度を備え、且つ安価な市販の編み籠に対して、後発的に意匠性を付加することにより、実用性を備え、且つ意匠性に富んだ装飾籠を提供することを目的とする。
【課題を解決するための手段】
【０００６】
上記課題の解決にあたり、本考案者は、鋭意研究の結果、市販の編み籠に対して、装飾性を有するリボンを規則的に配することにより意匠性が向上し、上記目的を達成できることを見出し本考案の完成に至った。
【０００７】
即ち、本考案に係る装飾籠は、請求項１の記載によると、
線状材を縦方向と横方向に交差するように編み上げてなる編み籠において、
交差部分の表面に配された横方向の線状材と、裏面に配された縦方向の線状材との間隙を支点として、
所定の支点にリボンを通し、当該支点から上下左右或いは斜め方向に所定間隔離れた他の支点に同一のリボンを通し、前記編み籠の表面において前記各支点の間に当該リボンを配するようにして、
この操作を規則的に繰り返すことにより、前記編み籠の表面の全部又は一部に意匠性に富んだ装飾が施されている。
【０００８】
また、本考案は、請求項２の記載によると、請求項１に記載の装飾籠であって、
前記表面に配された横方向の複数の線状材からなる縦列に対して、
前記リボンが、所定の支点より上方又は下方に１又は２以上の支点を越えて、他の支点に向けて縦列に配され、この操作を同一の縦列で規則的に繰り返すと共に、
全ての縦列、又は、１列又は２列以上の間隔を置いた他の縦列において同様の操作を規則的に繰り返すことを特徴とする。
【０００９】
また、本考案は、請求項３の記載によると、請求項２に記載の装飾籠であって、
前記編み籠の表面において、前記縦列に配されたリボンが、支点から他の支点に配されるときにタックを形成することを特徴とする。
【００１０】
また、本考案は、請求項４の記載によると、請求項２又は３に記載の装飾籠であって、
前記編み籠の表面において、前記縦列及び他の縦列に配された２列以上のリボンに対して、
１又は２以上の他のリボンを横方向に交差するように配することを特徴とする。
【００１１】
また、本考案は、請求項５の記載によると、請求項２に記載の装飾籠であって、
前記編み籠の表面において、前記縦列に配されたリボンが、支点から他の支点に配されるときに１回転のスクロールループを形成することを特徴とする。
【００１２】
また、本考案は、請求項６の記載によると、請求項２に記載の装飾籠であって、
前記編み籠の表面において、リボンが縦方向に配された縦列を第１の縦列とし、
リボンが配されていない両隣の縦列を第２及び第３の縦列としたときに、
第２の縦列の所定の支点に他のリボンを通し、当該支点から斜め上又は斜め下方向に所定間隔離れた第３の縦列の支点に同一のリボンを通し、当該他のリボンが前記第１の縦列に配されたリボンの表面に配されるようにして、  
この操作を第２及び第３の縦列の間で規則的に繰り返すことを特徴とする。
【００１３】
また、本考案は、請求項７の記載によると、請求項１に記載の装飾籠であって、
前記表面に配された横方向の複数の線状材からなる複数の縦列に対して、
所定の縦列の所定の支点にリボンを通し、当該支点から斜め上又は斜め下方向に所定間隔離れた隣接する縦列の支点に同一のリボンを通し、更に、同一方向に同一間隔離れた更に隣接する他の縦列に同一のリボンを通し、前記編み籠の表面において前記各支点の間に当該リボンを斜め方向に配するようにして、
この操作を規則的に繰り返すことを特徴とする。
【００１４】
また、本考案は、請求項８の記載によると、請求項７に記載の装飾籠であって、
前記編み籠の表面において、隣接する複数の縦列の間に斜め方向に配されたリボンが、支点から他の支点に配されるときに１回転のスクロールループを形成することを特徴とする。
【００１５】
また、本考案は、請求項９の記載によると、請求項１に記載の装飾籠であって、
前記表面に配された横方向の複数の線状材からなる複数の縦列に対して、
所定の縦列の所定の支点に上から下に向かってリボンを通し、当該支点からリボンを反転させながら右又は左の一定方向に向けて斜め上方向に所定間隔離れた隣接する縦列の支点に同一のリボンを下から上に通し、更に当該リボンを反転させながら、同一方向に同一間隔離れた更に隣接する他の縦列に同一のリボンを上から下に向かって通し、前記編み籠の表面において前記各支点の間に当該リボンを横列にジグザグ状に配するようにして、
この操作を規則的に複数の横列に対して繰り返すことを特徴とする。
【考案の効果】
【００１６】
上記構成によれば、線状材を縦方向と横方向に交差するように編み上げてなる編み籠に装飾を施す。装飾には、主に装飾性を有するリボンを使用し、線状材の交差部分の横方向の線状材と縦方向の線状材との間隙を支点とする。まず、所定の支点にリボンを通し、当該支点から上下左右或いは斜め方向に所定間隔離れた他の支点に同一のリボンを通す。このことにより、編み籠の表面において各支点の間に装飾性を有するリボンが配される。この操作を規則的に繰り返すことにより、編み籠の表面の全部又は一部に意匠性に富んだ装飾が施されている。
【００１７】
よって、本考案によれば、プラスチック製ストローバッグのように実用強度を備え、且つ安価な市販の編み籠に対して、後発的に意匠性を付加することにより、実用性を備え、且つ意匠性に富んだ装飾籠を提供することができる。
【図面の簡単な説明】
【００１８】
【図１】本考案に係る装飾籠の基材となる編み籠を示す写真である。
【図２】図１の編み籠の表面を拡大した部分拡大図である。
【図３】実施例１の装飾籠の全体図（Ａ）と作製方法を示す部分断面図（Ｂ）である。
【図４】実施例２の装飾籠の全体図（Ａ）と作製方法を示す部分断面図（Ｂ）である。
【図５】実施例３の装飾籠の全体図（Ａ）と作製方法を示す部分拡大図（Ｂ）である。
【図６】実施例４の装飾籠の全体図（Ａ）と作製方法を示す部分拡大図（Ｂ）である。
【図７】実施例５の装飾籠の全体図（Ａ）と作製方法を示す部分拡大図（Ｂ）である。
【図８】実施例６の装飾籠の全体図（Ａ）と作製方法を示す部分拡大図（Ｂ）である。
【図９】実施例７の装飾籠の全体図（Ａ）と作製方法を示す部分拡大図（Ｂ）である。
【考案を実施するための形態】
【００１９】
以下、本考案に係る装飾籠を各実施例により説明する。なお、各実施例の説明において、本考案を理解しやすいように装飾籠の作製方法でもって説明する。
【００２０】
図１は、各実施例に係る装飾籠の基材となる編み籠を示す写真である。この編み籠は、ポリプロピレン製チューブ（線状材）を縦方向と横方向に交差するように編み上げて作製されている。ポリプロピレン製チューブからなる編み籠は、軽くて強度が強く実用的であり、市販品を安価に入手することができる。各実施例に使用した編み籠は、直径約４ｍｍのポリプロピレン製チューブで編まれた、幅３５０ｍｍ、高さ２３０ｍｍ、幅１５ｍｍのものであった。なお、本考案においては、ここに示すポリプロピレン製の編み籠以外の他のプラスチック製の編み籠、及び、天然材料の籐や竹ひご製の編み籠など、その材料はどのようなものであってもよい。
【００２１】
図１において、編み籠の表面には、編み込まれたポリプロピレン製チューブが主に横方向に現われている。図２は、編み籠の表面を拡大した部分拡大図である。図２において、２本引き揃えた縦方向の線状材（縦材１）と１本の横方向の線状材（横材２）とが、交差するように編み込まれている。縦材１と横材２との交差部分には、横材２が編み籠の表面に配されている。一方、縦材１は、裏面（籠の内側）に配されている。本考案においては、交差部分の表面に配された横材２と、裏面に配された縦材１との間隙を支点３として装飾を行う。
【００２２】
なお、本考案においては、編み籠の表面の装飾に各種リボンを使用する。本考案に使用するリボンは、特に限定するものではないが、例えば、各種繊維からなるツイードリボン、サテンリボン、スパンコールリボン、グログランリボンなど、工芸・手芸に使用されるものが挙げられる。なお、使用するリボンの幅は、支点３の表面に配された横材２の部分の長さと同じ又は狭いことが好ましい。
【００２３】
本考案においては、この支点３の表面に配された横材２と縦材１との間にリボンを通し、この支点３から上下左右或いは斜め方向に所定間隔離れた他の支点に同一のリボンを通す。このようにして、２つの支点の間にリボンを配する操作を規則的に繰り返すことにより、編み籠の表面の全部又は一部に意匠性に富んだ装飾が施される。
【実施例１】
【００２４】
本実施例１においては、リボンのストレート通しの一例を説明する。図３は、本実施例１の装飾籠の全体図（Ａ）と作製方法を示す部分断面図（Ｂ）である。図３（Ａ）において、装飾籠１０の表面には、縦方向にストレート通しされたツイードリボン１１による装飾が施されている。更に、この縦方向にストレート通しされたツイードリボン１１に対して、横方向からサテンリボン１２とスパンコールリボン１３とが交互に通され、意匠性の高い装飾が施されている。
【００２５】
図３（Ｂ）において、編み籠の表面に配された複数の横材からなる縦列１４について説明する。縦列１４の支点１５において、縦材１６と横材１７の間に上から下に通されたツイードリボン１１は、この横材１７から下方に４つの支点を越えて、５つ目の支点１８において、縦材１６と横材１９の間に上から下に通されている。この操作で、ツイードリボン１１は、縦列１４において表面に沿って縦方向に配される。この操作を縦列１４において規則的に繰り返す。次に、本実施例１においては、同様の操作を他の全ての縦列において規則的に繰り返す。このことにより、編み籠の表面には、縦方向に配されたツイードリボン１１による装飾が全面に施される。
【００２６】
次に、図３（Ａ）において、編み籠の表面に縦方向に配されたツイードリボン１１に対して、横列にサテンリボン１２を交差するように通していく。更に、その隣の横列にスパンコールリボン１３を交差するように通していく。これらのことにより、本実施例１の装飾籠の表面には、縦方向に配されたツイードリボン１１と、横方向に交互に配されたサテンリボン１２、スパンコールリボン１３とによる意匠性の高い装飾が施される。
【実施例２】
【００２７】
本実施例２においては、リボンのストレート通しの他の例を説明する。図４は、本実施例２の装飾籠の全体図（Ａ）と作製方法を示す部分断面図（Ｂ）である。図４（Ａ）において、装飾籠２０の表面には、縦方向にストレート通しされたツイードリボン２１による装飾が施されている。このツイードリボン２１には、タック２２が形成されている。更に、この縦方向にストレート通しされたツイードリボン２１に対して、横方向からグログランリボン２３が通され、タック２２を１つ置きに押えるように張り付けられ、意匠性の高い装飾が施されている。
【００２８】
図４（Ｂ）において、編み籠の表面に配された複数の横材からなる縦列２４について説明する。縦列２４の支点２５において、縦材２６と横材２７の間に上から下に通されたツイードリボン２１は、この横材２７から下方に４つの支点を越えて、５つ目の支点２８において、縦材２６と横材２９の間に上から下に通されている。このとき、各支点２５、２８において、ツイードリボン２１を弛ませてタック２２を形成する。この操作で、ツイードリボン２１は、縦列２４において表面に沿って縦方向にタック２２を伴って配される。この操作を縦列２４において規則的に繰り返す。次に、本実施例２においては、同様の操作を他の全ての縦列において規則的に繰り返す。このことにより、編み籠の表面には、縦方向に配されたツイードリボン２１のタック２２による装飾が全面に施される。
【００２９】
次に、図４（Ａ）において、編み籠の表面に縦方向に配されたツイードリボン１１に対して、横列にグログランリボン２３を交差するように通していく。このとき、グログランリボン２３がタック２２の表面に現われた部分において、グログランリボン２３でタック２２を押えるように張り付ける。更に、その隣の横列においても同様の操作を施す。これらのことにより、本実施例２の装飾籠の表面には、縦方向に配されたツイードリボン２１のタック２２が、格子状に交互に形成され意匠性の高い装飾が施される。
【実施例３】
【００３０】
本実施例３においては、リボンの縦スクロール通しの一例を説明する。図５は、本実施例３の装飾籠の全体図（Ａ）と作製方法を示す部分拡大図（Ｂ）である。図５（Ａ）において、装飾籠３０の表面には、縦方向にスクロール通しされたツイードリボン３１によるスクロールループ３２が形成されている。更に、中央の３本の縦列のスクロール通しの両側には、ファー３３が縦方向に張り付けられ、意匠性の高い装飾が施されている。
【００３１】
図５（Ｂ）において、編み籠の表面に縦スクロール通しが施された縦列３４について説明する。縦列３４の支点３５において、縦材（図示せず）と横材３６の間に上から下に通されたツイードリボン３１は、この横材３６から下方に４つの支点を越えて、５つ目の支点３７において、縦材と横材３８の間に上から下に通されている。このとき、ツイードリボン３１は、ロッド３９の周りを１周することによりスクロールループ３２を形成する。この操作を縦列３４において規則的に繰り返す。次に、ロッド３９をはずすことにより、縦列３４に複数のスクロールループが形成される。同様の操作を任意の縦列において規則的に繰り返す。このことにより、編み籠の表面には、縦方向に配されたツイードリボン１１によるスクロールループ３２の装飾が施される。
【００３２】
次に、図５（Ａ）において、スクロールループを形成していない縦列にファー３３を張り付ける。これらのことにより、本実施例３の装飾籠の表面には、縦方向に配されたツイードリボン３１による複数のスクロールループと、一部に配されたファー３３とによる意匠性の高い装飾が施される。
【実施例４】
【００３３】
本実施例４においては、リボンのＸメッシュ通しの一例を説明する。図６は、本実施例４の装飾籠の全体図（Ａ）と作製方法を示す部分拡大図（Ｂ）である。図６（Ａ）において、装飾籠４０の表面には、縦方向にストレート通しされたツイードリボン４１による装飾が施されている。更に、この縦方向にストレート通しされたツイードリボン４１の表面には、２色のグログランリボン４２によるＸメッシュの装飾がなされ、意匠性の高い装飾が施されている。
【００３４】
図６（Ｂ）において、編み籠の表面に配された複数の横材からなる縦列４３〜４７について説明する。各縦列４３〜４７には、先にツイードリボン４１は縦方向にストレート通しされている。まず、縦列４３の支点４３ａにおいて、縦材（図示せず）と横材４３ｂの間に上から下にグログランリボン４２を通す。次に、縦列４５の支点４５ｃにおいて、縦材（図示せず）と横材４５ｄの間に上から下にグログランリボン４２を通す。このようにして、グログランリボン４２を縦列４４のツイードリボン４１の上側に斜めに配する。この操作を縦列４４の表面において規則的に繰り返す。
【００３５】
次に、縦列４５の支点４５ａにおいて、縦材（図示せず）と横材４５ｂの間に上から下に他のグログランリボン４８を通す。次に、縦列４３の支点４３ｃにおいて、縦材（図示せず）と横材４３ｄの間に上から下にグログランリボン４８を通す。このようにして、グログランリボン４８を縦列４４のツイードリボン４１の上側に斜めに配する。この操作を縦列４４の表面において規則的に繰り返す。
【００３６】
このことにより、縦列４４の表面には、縦方向に配されたツイードリボン４１の上側にグログランリボン４２及び４８よるＸメッシュの装飾が施される。同様の操作を縦列４６及び、他の任意の縦列に対しても施す。これらのことにより、本実施例４の装飾籠の表面には、縦方向に配されたツイードリボン４１と、その上側にＸメッシュ状に配されたグログランリボン４２、４８とによる意匠性の高い装飾が施される。
【実施例５】
【００３７】
本実施例５においては、リボンの斜め通しの一例を説明する。図７は、本実施例５の装飾籠の全体図（Ａ）と作製方法を示す部分拡大図（Ｂ）である。図７（Ａ）において、装飾籠５０の表面には、左下方向に斜め通しされたツイードリボン５１による装飾が施されている。本実施例５においては、この斜め通しが５列に亘ってなされており、意匠性の高い装飾が施されている。
【００３８】
図７（Ｂ）において、編み籠の表面に配された複数の横材からなる縦列５２〜５５について説明する。縦列５２の支点５２ａにおいて、縦材（図示せず）と横材５２ｂの間に上から下に通されたツイードリボン５１は、横材５２ｂに対応する隣の縦列５３の横材（図示せず）から下方に４つの支点を越えて、５つ目の支点５３ａにおいて、縦材（図示せず）と横材５３ｂの間に上から下に通される。このとき、ツイードリボン５１は、ロッド５６の上を通されることにより膨らみを形成する。
【００３９】
次に、同様の操作を横材５３ｂに対応する隣の縦列５４の横材（図示せず）から下方に４つの支点を越えて、５つ目の支点５４ａにおいて、縦材（図示せず）と横材５４ｂの間に上から下に通される。このとき、ツイードリボン５１は、ロッド５７の上を通されることにより膨らみを形成する。次に、同様の操作を縦列５５においても施す。この操作で、ツイードリボン５１は、縦列５２〜５５に亘って左下斜め方向に膨らみを持って配される。
【００４０】
本実施例５においては、図７（Ａ）に示すように、同様の操作を５本の斜めの列において規則的に繰り返す。このことにより、編み籠の表面には、複数列に亘って斜め方向に配されたツイードリボン５１による意匠性の高い装飾が施される。
【実施例６】
【００４１】
本実施例６においては、リボンの斜めスクロール通しの一例を説明する。図８は、本実施例６の装飾籠の全体図（Ａ）と作製方法を示す部分拡大図（Ｂ）である。図８（Ａ）において、装飾籠６０の表面には、斜め方向にスクロール通しされたツイードリボン６１によるスクロールループ６２が形成され、意匠性の高い装飾が施されている。
【００４２】
図８（Ｂ）において、編み籠の表面に縦スクロール通しが施された縦列６３〜６５について説明する。縦列６３の支点６３ａにおいて、縦材（図示せず）と横材６３ｂの間に上から下に通されたツイードリボン６１は、
横材６３ｂに対応する隣の縦列６４の横材（図示せず）から下方に４つの支点を越えて、５つ目の支点６４ａにおいて、縦材（図示せず）と横材６４ｂの間に上から下に通される。このとき、ツイードリボン６１は、ロッド６６の周りを１周することによりスクロールループ６２を形成する。
【００４３】
次に、同様の操作を隣の横材６４ｂに対応する縦列６５の横材（図示せず）から下方に４つの支点を越えて、５つ目の支点６５ａにおいて、縦材（図示せず）と横材６５ｂの間に上から下に通される。このとき、ツイードリボン６１は、同じロッド６６の周りを１周することによりスクロールループ６２を形成する。この操作で、ツイードリボン６１は、縦列６３〜６５に亘って左下斜め方向に複数のスクロールループが形成される。
【００４４】
本実施例６においては、図８（Ａ）に示すように、同様の操作を５本の斜めの列において規則的に繰り返す。このことにより、編み籠の表面には、複数列に亘って斜め方向に配されたツイードリボン６１によるスクロールループが形成され、意匠性の高い装飾が施される。
【実施例７】
【００４５】
本実施例７においては、リボンのジグザグ通しの一例を説明する。図９は、本実施例７の装飾籠の全体図（Ａ）と作製方法を示す部分拡大図（Ｂ）である。図９（Ａ）において、装飾籠７０の表面には、横方向にジグザグ通しされたツイードリボン７１による装飾が施されている。本実施例７においては、このジグザグ通しが２列に亘ってなされており、意匠性の高い装飾が施されている。
【００４６】
図９（Ｂ）において、編み籠の表面に配された複数の横材からなる縦列７２〜７４について説明する。縦列７２の支点７２ａにおいて、縦材（図示せず）と横材７２ｂの間に上から下に通されたツイードリボン７１は、横材７２ｂに対応する隣の縦列７３の横材（図示せず）から下方に４つの支点を越えて、５つ目の支点７３ａにおいて、縦材（図示せず）と横材７３ｂの間に上から下に通される。ここで、ツイードリボン７１は、横材７３ｂによって反転して上向きに方向を変える。
【００４７】
次に、横材７３ｂに対応する隣の縦列７４の横材（図示せず）から上方に４つの支点を越えて、５つ目の支点７４ａにおいて、縦材（図示せず）と横材７４ｂの間に上から下に通される。このとき、ツイードリボン７１は、横材７４ｂによって反転して再度下向きに方向を変える。次に、同様の操作を同じ横列において施していく。この操作で、ツイードリボン７１は、横方向にジグザグ状に配される。
【００４８】
本実施例７においては、図９（Ａ）に示すように、同様の操作を２本の横列において規則的に繰り返す。このことにより、編み籠の表面には、２列に亘って横方向にジグザグ状に配されたツイードリボン７１による意匠性の高い装飾が施される。
【００４９】
以上、説明したように、本考案によれば、プラスチック製ストローバッグのように実用強度を備え、且つ安価な市販の編み籠に対して、後発的に意匠性を付加することにより、実用性を備え、且つ意匠性に富んだ装飾籠を提供することができる。
【００５０】
なお、本考案の実施にあたり、上記各実施例に限らず次のような種々の変形例が挙げられる。
（１）上記各実施例においては、装飾籠の基材としてポリプロピレン製チューブからなる編み籠を使用するが、これに限るものではなく、ポリプロピレン以外のプラスチック製の編み籠、又は、天然材料の籐や竹ひご製の編み籠など、その材料はどのようなものであってもよい。
（２）上記各実施例においては、リボンの単一の通し方による単一の装飾籠を説明するものであるが、これに限るものではなく、各実施例によるリボンの通し方を組み合わせて、より意匠性に富んだ装飾籠を作製するようにしてもよい。
（３）上記各実施例においては、リボンの単一の通し方による単一の装飾籠を説明するものであるが、これに限るものではなく、これらの装飾籠に花に編んだリボンやその他の装飾小物を配して、より意匠性に富んだ装飾籠を作製するようにしてもよい。
（３）上記各実施例においては、リボンの単一の通し方による単一の装飾籠を説明するものであるが、これに限るものではなく、これらの装飾籠に花に編んだリボンやその他の装飾小物を配して、より意匠性に富んだ装飾籠を作製するようにしてもよい。
（４）上記各実施例においては、編み籠の表面をリボンで装飾した装飾籠を説明するものであるが、これに限るものではなく、編み籠の口の部分や持ち手の部分にもリボンを巻くなどの装飾を施すようにしてもよい。
【符号の説明】
【００５１】
１０、２０、３０、４０、５０、６０、７０…装飾籠、
１１、２１、３１、４１、５１、６１、７１…ツイードリボン、
１２…サテンリボン、１２…スパンコールリボン、２３、４２、４８…グログランリボン、
１、１６、２６…縦材、
２、１７、１９、２７、２９、３６、３８、４３ｂ、４３ｄ、４５ｂ、４５ｄ、５２ｂ、５３ｂ、５４ｂ、６３ｂ、６４ｂ、６５ｂ、７２ｂ、７３ｂ、７４ｂ…横材、
３、１５、１８、２５、２８、３５、３７、４３ａ、４３ｃ、４５ａ、４２ａ、５３ａ、５４ａ、５４ｃ、６３ａ、６４ａ、６５ａ、７２ａ、７３ａ、７４ａ…支点、
１４、２４、３４、４３〜４７、５２〜５５、６３〜６５、７２〜７４…縦列、
２２…タック、
３２、６２…スクロールループ、
３９、５６、５７、６６…ロッド、
３３…ファー。
【図１】
0003202769.tif 000003
【図２】
0003202769.tif 000004
【図３】
0003202769.tif 000005
【図４】
0003202769.tif 000006
【図５】
0003202769.tif 000007
【図６】
0003202769.tif 000008
【図７】
0003202769.tif 000009
【図８】
0003202769.tif 000010
【図９】
0003202769.tif 000011